(57)【特許請求の範囲】
【請求項１】
保持部と少なくとも１つの塗布部材とから成る、接触感応型容量性表面のための入力装置において、
前記装置は、液状の塗布媒体が充填された保持部として形成されており、
塗布装置の保持部は、少なくともグリップ領域では非導電性で形成されており、
前記塗布媒体は導電性で形成されており、
前記少なくとも１つの塗布部材と前記液状の塗布媒体との間で、導電接続が形成されており、
前記液状の塗布媒体は、インク、製図用インク、無色の消去可能な非水性の液体、又は、クリーニング液である、
ことを特徴とする、装置。
【請求項２】
前記保持部内の液状の塗布媒体は、自由液体として設けられている、
請求項１記載の装置。
【請求項３】
前記液状の塗布媒体は、貯蔵体内で毛細管現象により拘束された液体として設けられている、
請求項１記載の装置。
【請求項４】
前記塗布部材は接触素子として形成されている、
請求項１記載の装置。
【発明の詳細な説明】
【技術分野】
【０００１】
本発明は、接触感応型容量性表面のための入力装置として、塗布媒体が充填された筆記用具、製図用具及び／又は絵画用具、又は化粧用具として構成された装置を使用することに関する。
【背景技術】
【０００２】
この種の表面／ディスプレイのための入力装置は、基本的には公知である。
【０００３】
例えば、導電性の胴部から成る入力用スタイラスペンが知られており、この場合、一方の端部に、ディスプレイもしくはディスプレイ表面のために弾性に形成された柔らかい導電性のコンタクトストッパが設けられている。この種の入力ペンの欠点は、純然たる入力ペンとしては値段が高すぎ、しかも筆記機能及び／又は塗布機能を果たせないことである。
【０００４】
さらに、一方の端部に筆記機構又はアプリケータを備え、他方の端部にコンタクトストッパの形式の導電性装置を備えた入力ペンもあり、これは容量性ディスプレイと接触したときに入力機能を実現もしくはトリガする。
【０００５】
しかしながら公知の上述の入力ペンは、多くの欠点を有している。つまりこの種のペンは、胴部を導電性に構成することはこれまで慣用の塗布装置では不要であったのに、そのように形成されていることから、製造コストが高い。さらにこれらの入力ペンは、従来技術によればほとんどすべてがボールペンとして構成されており、このことでユーザは筆記用具の選定にあたり制約を受けることになる。
【０００６】
米国特許出願公開第２００８／０２６６２６７号明細書には、実質的に純然たるスタイラスエレメントから成る入力用保持部が公知である。このスタイラスエレメントは、胴部が導電性であることから入力部材として機能する汎用の保持部であり、この場合、この入力部材にオプションとして、様々な表示装置や塗布装置等をドッキングさせることができるが、それらは本来の機能とは何ら関係しない。このような解決手法において欠点としてみなせるのは、入力用保持部の製造コストが高いことである。しかも、入力用保持部に配設された表示装置及び／又は塗布装置は紛失しやすい。
【先行技術文献】
【特許文献】
【０００７】
【特許文献１】米国特許出願公開第２００８／０２６６２６７号明細書
【発明の概要】
【発明が解決しようとする課題】
【０００８】
したがって本発明の課題は、上述の欠点を生じさせない接触感応型容量性表面のための入力装置を提供することにあり、さらにその際に入力装置が、入力機能のほかに塗布機能も備えるようにすることにある。さらに本発明の課題は、既に知られている塗布装置において、構造的な変更を加えることなく入力機能を実現することにある。
【０００９】
なお、塗布装置とは、以下では、筆記用具、製図用具及び／又は絵画用具のことであり、例えばフェルトペンなどのことである。
【００１０】
この課題は、独立請求項に記載された特徴によって解決される。従属請求項には有利な実施形態が記載されている。
【００１１】
本発明による使用のための装置は、少なくとも１つの塗布部材を備えた少なくとも１つの保持部／胴部から成る。
【００１２】
保持部は、液状の塗布媒体によって充填されており、この場合、保持部もしくは胴部は非導電性であり、少なくともユーザのグリップ領域においては導電性ではないように形成されている。これに対し塗布媒体は導電性で形成されており、これによって少なくとも１つの塗布部材と保持部内部の塗布媒体との間で、導電接続が形成されている。
【００１３】
この場合、驚くべきことに、装置は入力装置として機能し、かつ装置の保持部の表面を導電性で形成しなくてもよい、ということが判明した。非導電性の保持部に関する具体例として、ポリプロピレン（ＰＰ）又はポリエチレン（ＰＥ）などのような熱可塑性プラスチックから成る胴部が挙げられる。
【００１４】
さらに驚くべき点は、非固体の物質／塗布媒体が、本願発明によれば液状物質が、入力装置の機能部材として形成されている、ということである。
【００１５】
液状の塗布媒体を、保持部内に収容された自由液体としてもよいし、貯蔵体内で毛細管現象により拘束された液体としてもよい。液状の塗布媒体を、ここではインク、製図用インク、或いは無色の消去可能な液体又はクリーニング液とすることができる。この場合、塗布媒体が水性であるか非水性であるかは重要ではない。入力装置を機能させるために重要であるのは、対応する塗布媒体が導電性であることだけである。
【００１６】
塗布媒体の実現形態には関係なく絶対に必要とされるのは、導電性の塗布媒体を備えた塗布部材と、保持部内部に貯蔵された塗布媒体との間で、導電接続が形成される、ということである。塗布部材は同時に接触素子も成し、この接触素子は「入力」が行われる時点で、接触感応型容量性ディスプレイの表面と接触する。
【００１７】
つまり従来技術による入力装置の場合のように、塗布部材／接触素子が剛性又は硬質の材料によって形成されておらず、したがってガラス状のディスプレイ表面を破損したり擦過傷を残したりすることがない。本発明によれば塗布部材は、繊維、ゴム、発泡スチロール又は焼成されたプラスチックから成るチップとして形成されている。
【００１８】
次に、本発明による解決手段の理解を深めるために、本発明について図面を参照しながら説明する。
【図面の簡単な説明】
【００１９】
【図１】装置もしくは入力装置１の実現可能な実施形態を示す図
【発明を実施するための形態】
【００２０】
図面には、装置もしくは入力装置１の実現可能な実施形態が示されており、この実施形態によれば、装置１０は、塗布部材１０３と貯蔵体１０７と端部ストッパ１０２とを備えた保持部／胴部１０１として形成されている。保持部１０１もしくは胴部は、着脱可能な終端キャップ２０によって封止されている。塗布部材１０３の先端と、導電性の塗布媒体１０５を含浸させた貯蔵体１０７との間で、導電接続が形成されている。通常、グリップ領域を含む保持部１０１もしくは胴部の材料は、非導電性で形成されている。
【００２１】
タブレット又はディスプレイ上で、図示されていない使用アクションもしくは入力アクションが行われると、塗布部材はタブレット表面に接触し、このことによって、インキを含浸させた貯蔵体との導電接続が形成され、それによりタブレット表面において電荷の移動が発生し、入力機能が実現される。驚くべきことに、このようにすれば保持部／胴部が絶縁体として設けられていても、「入力」機能が働くことが判明した。この場合、ユーザの指と貯蔵体との間で容量素子が形成され、そのことによりタブレットにおいて電荷の移動が発生し、したがって入力をうまく行えるようになる。
【００２２】
図示されていない変形実施形態によれば、保持部（１０１）内部に貯蔵体（１０７）を配置せず、塗布媒体（１０５）を自由液体／自由塗布媒体として、即ち自由に移動する液体／自由に移動する塗布媒体として設ける。
【００２３】
図面に示されているように、塗布媒体を導電性で形成しておく必要がある。
【００２４】
以下では具体例として、導電性という基準を満たす調合例を挙げておく。
【００２５】
調合例１：独国特許第４３２０９５９号明細書の実施例８．１
水          ４７０ｇ
ラノリン−スルホサクシナート          ２０ｇ
ベンズイソチアゾリノン          ２ｇ
ペンタグリセリン          １００〜１５０ｇ
ベーシックイエロー  ４０（５００％）          ６．５ｇ
ソルベントイエロー  ４３          ０．５ｇ
樹脂分散液  （４０〜４２％）          ４２０ｇ
＋さらに別のステップ  独国特許第４３２０９５９号明細書参照
独国特許第４３２０９５９号明細書には、同様に導電性という基準を満たし、本発明による入力装置において使用可能な多数のインク例が示されている。
【００２６】
調合例２：ファイバーチップペン用の赤色インク
水          ６１．８重量％
防腐剤          ０．２重量％
密蝋          ０．３重量％
トリエタノールアミン          ０．３重量％
乳化剤          １．４重量％
アラビアゴム          ０．１重量％
ジエチレングリコール          ３２．１重量％
着色剤          ３．８重量％
調合例２は、独国実用新案第２９７１４５９４号明細書から公知である。さらに別のインクとして、それらの組成に基づき同様に導電性である上記文献中の調合例１〜９を参照されたい。
【００２７】
調合例３：消去可能な無色のアルコールインク
酢酸エチル          １８．０重量％
１−メトキシプロパン−２オール          ２４．５重量％
フルオロアルキルアクリレートコポリマー          １．０重量％
エトキシプロパノール          ２０．０重量％
エタノール          ２８．５重量％
１，２プロパノール          １４．０重量％
着色剤          ３．８重量％
ドデシル硫酸水素ナトリウム          ３．０重量％
この消去可能インクは、ディスプレイ表面にいかなる痕跡も残さず、しかもクリーニング機能の役割も果たす。
【００２８】
図面に具体例として示した解決手段の利点とは、本発明を適用するために市販の筆記用具に何ら変更を加えなくてもよい、ということである。
【符号の説明】
【００２９】
１  入力装置
１０  塗布装置
１０１  保持部
１０２  端部ストッパ
１０３  塗布部材
１０５  塗布媒体
１０７  貯蔵体
２０  終端キャップ
【図１】
0006257750.tif 000002